【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
シート状物を複数枚重ねにして搬送する折胴と、
シート状物を保持する第１の保持手段を円周方向に複数箇所備え、前記シート状物を複数枚重ねにして搬送する場合、前記第１の保持手段にシート状物を保持して搬送する第１の搬送胴と、
前記第１の搬送胴と対向し、シート状物を保持する第２の保持手段を円周方向に複数箇所備え、回動自在に支持された第２の搬送胴と、
前記第１の搬送胴と対向し、シート状物を保持する第３の保持手段を円周方向に複数箇所備え、回動自在に支持された第３の搬送胴と、
複数枚重ねにされたシート状物を前記第１の搬送胴から前記第２の搬送胴と前記第３の搬送胴とに振り分けて搬送するように搬送経路を切り替える切替手段と、を備えると共に、
前記切替手段として、前記第１の搬送胴における第１の保持手段を一つおきに作動させて当該第１の保持手段に保持したシート状物を前記第２の搬送胴と前記第３の搬送胴とに振り分けて搬送し得る回転カムを設けたことを特徴とするシート状物の搬送装置。
【請求項２】
前記切替手段は、
複数枚重ねにされたシート状物を前記第１の搬送胴から前記第２の搬送胴及び前記第３の搬送胴のどちらか一方に搬送するように搬送経路を切り替える
ことを特徴とする請求項１に記載のシート状物の搬送装置。
【請求項３】
前記切替手段は、
一枚ずつ搬送されたシート状物を前記第１の搬送胴から前記第２の搬送胴と前記第３の搬送胴とに振り分けて搬送するように搬送経路を切り替える
ことを特徴とする請求項１に記載のシート状物の搬送装置。
【請求項４】
前記切替手段は、
一枚ずつ搬送されたシート状物を前記第１の搬送胴から前記第２の搬送胴及び前記第３の搬送胴のどちらか一方に搬送するように搬送経路を切り替える
ことを特徴とする請求項１に記載のシート状物の搬送装置。
【請求項５】
前記第１の搬送胴は前記第１の保持手段を６箇所に有した６倍胴からなり、前記第２の搬送胴は前記第２の保持手段を２箇所に有した４倍胴からなり、前記第３の搬送胴は前記第１の搬送胴と前記第２の搬送胴とが対向する対向位置よりも前記第１の搬送胴の回転方向下流側に設けられて前記第３の保持手段を２箇所に有した４倍胴からなることを特徴とする請求項１に記載のシート状物の搬送装置。
【請求項６】
前記第１の搬送胴は、一枚ずつ搬送されたシート状物を前記第１の保持手段の一つおきに配置された一方の第１の保持手段を動作させて前記第２の搬送胴に搬送する第１の固定カムと、複数枚重ねにされたシート状物を前記一方の第１の保持手段との間に配置された他方の第１の保持手段の一つおきに動作させて前記第２の搬送胴に搬送する当該第１の搬送胴の１．５倍の速度で回転する回転カムと、一枚ずつ又は複数枚重ねにされたシート状物を前記他方の第１の保持手段を動作させて第３の搬送胴に搬送する第２の固定カムと、前記第２の保持手段を前記一方の第１の保持手段と対向する位置と前記他方の第１の保持手段と対向する位置との間で切り替える位相切替機構とを有することを特徴とする請求項１に記載のシート状物の搬送装置。
【請求項７】
前記第２の搬送胴は、前記第１の固定カムに動作される前記一方の第１の保持手段からの搬送されたシート状物を搬送するように前記第２の保持手段を動作させると共に、前記回転カムに動作される前記他方の第１の保持手段からの複数枚重ねにされたシート状物を搬送するように前記第２の保持手段を動作させる第３の固定カムと、前記回転カムに動作されない前記他方の第１の保持手段に保持された複数枚重ねのシート状物に対して前記第２の保持手段による受け取り動作をさせない可動カムと、を備え、前記第３の搬送胴は、前記第２の固定カムで動作される前記他方の第１の保持手段からの一枚ずつ又は複数枚重ねにされたシート状物を搬送する前記第３の保持手段を動作させる第４の固定カムを備えたことを特徴とする請求項６に記載のシート状物の搬送装置。
【請求項８】
前記第１の搬送胴の前記第１の保持手段は、一枚ずつ搬送されたシート状物を保持する少なくとも２つ以上の一方の第１の保持手段と、前記一方の第１の保持手段との間に設けられて一枚ずつ搬送されたシート状物と複数枚重ねで搬送されたシート状物を保持する少なくとも２つ以上の他方の第１の保持手段とからなり、
前記切替手段は、
複数枚重ねで搬送されたシート状物を保持する前記他方の第１の保持手段から前記第２の搬送胴の前記第２の保持手段への受け渡し動作を回動することによって前記他方の第１の保持手段の一つおきに動作させる回動カムと、前記回動カムによって動作しなかった前記他方の第１の保持手段から前記第２の搬送胴の前記第２の保持手段を通過させて前記第３の搬送胴の前記第３の保持手段への受け渡し動作を行う固定カムとからなることを特徴とする請求項１に記載のシート状物の搬送装置。
【手続補正２】
【補正対象書類名】明細書
【補正対象項目名】００１５
【補正方法】変更
【補正の内容】
【００１５】
また、
前記第２の搬送胴は、前記第１の固定カムに動作される前記一方の第１の保持手段からの搬送されたシート状物を搬送するように前記第２の保持手段を動作させると共に、前記回転カムに動作される前記他方の第１の保持手段からの複数枚重ねにされたシート状物を搬送するように前記第２の保持手段を動作させる第３の固定カムと、前記回転カムに動作されない前記他方の第１の保持手段に保持された複数枚重ねのシート状物に対して前記第２の保持手段による受け取り動作をさせない可動カムと、を備え、前記第３の搬送胴は、前記第２の固定カムで動作される前記他方の第１の保持手段からの一枚ずつ又は複数枚重ねにされたシート状物を搬送する前記第３の保持手段を動作させる第４の固定カムを備えたことを特徴とする。
また、
前記第１の搬送胴の前記第１の保持手段は、一枚ずつ搬送されたシート状物を保持する少なくとも２つ以上の一方の第１の保持手段と、前記一方の第１の保持手段との間に設けられて一枚ずつ搬送されたシート状物と複数枚重ねで搬送されたシート状物を保持する少なくとも２つ以上の他方の第１の保持手段とからなり、前記切替手段は、複数枚重ねで搬送されたシート状物を保持する前記他方の第１の保持手段から前記第２の搬送胴の前記第２の保持手段への受け渡し動作を回動することによって前記他方の第１の保持手段の一つおきに動作させる回動カムと、前記回動カムによって動作しなかった前記他方の第１の保持手段から前記第２の搬送胴の前記第２の保持手段を通過させて前記第３の搬送胴の前記第３の保持手段への受け渡し動作を行う固定カムとからなることを特徴とする。
【手続補正３】
【補正対象書類名】明細書
【補正対象項目名】００２５
【補正方法】変更
【補正の内容】
【００２５】
折胴１１の針４１ａ〜４１ｄに保持された断裁ウェブ（シート状物）は、次に折胴１１の後述する差込ナイフ４２ａ〜４２ｄとの協働によってくわえ胴１２の後述するくわえ板５５ａ〜５５ｄ及びくわえあご５４ａ〜５４ｄにくわえられて平行一回折りされながら折丁（シート状物）となってくわえ胴１２の上側周面に添接され、さらにこの平行一回折りされた折丁はくわえ胴１２のくわえ板５５ａ〜５５ｄ及びくわえあご５４ａ〜５４ｄから減速胴（第１の搬送胴）１３の後述する爪（第１の保持手段，一方の第１の保持手段，他方の第１の保持手段）６５ａ〜６５ｆに受け渡される。
【手続補正４】
【補正対象書類名】明細書
【補正対象項目名】００２６
【補正方法】変更
【補正の内容】
【００２６】
その後、折丁は減速胴１３から上渡胴（第３の搬送胴）１４の後述する爪（第３の保持手段）８０ａ，８０ｂと下渡胴（第２の搬送胴）１５の後述する爪（第２の保持手段）９０ａ，９０ｂとに交互に振り分けられて排紙され、それぞれ上チョッパ折装置１６及び下チョッパ折装置１７によってチョッパ折りされ、又は上チョッパ折装置１６及び下チョッパ折装置１７をそのまま通過して、羽根車１８ａ，１８ｂからコンベア１９ａ，１９ｂへとそれぞれ排紙される。その後、後処理装置としてのスタッカー・バンドラー（図示せず）に集積される。尚、後述する切替手段により上一段排紙（搬送経路）も可能である。
【手続補正５】
【補正対象書類名】明細書
【補正対象項目名】００３８
【補正方法】変更
【補正の内容】
【００３８】
即ち、コレクト折時は針カム２３が１．５倍の速度で回転しているので、カムフォロア２２ａ〜２２ｃは、Ｄ⇒Ｃ⇒Ｂ⇒Ａ⇒Ｄの順番で針カム２３のカム面を転動する。つまり、コレクト折時は、領域Ａが下り傾斜面（高部⇒低部），領域Ｃが上り傾斜面（低部⇒高部）となり、ノンコレクト折時と反対となる。
【手続補正６】
【補正対象書類名】明細書
【補正対象項目名】００７１
【補正方法】変更
【補正の内容】
【００７１】
また、前記クラッチ３０Ｂには近接スイッチ３７ｂが設けられ、カム歯車７４には近接ドグ３８ｂが取り付けられている。従って、コレクト折の上一段排紙時とノンコレクト折時にクラッチ３０ＢがＯＦＦされるとカム歯車７４が慣性回転することになる。この慣性回転下で近接スイッチ３７ｂが近接ドグ３８ｂを検知すると、エアーシリンダ７５が収縮してカム固定用のレバー７６の揺動によりカムフォロア７７がカム歯車７４の溝７４ａに嵌合する。この結果、カム歯車７４の回転が停止されて爪回転カム６８が所定の回転位置で固定されることになる。